(57)【要約】【課題】竪樋支持具本体と取付杆を着脱自在に連結し、固着する。【解決手段】竪樋Ｔを支承する竪樋支持具本体１と、この竪樋支持具本体１を壁面Ｈ等に取付固定するための取付杆２を連結し、固着してなる竪樋支持具において、上記竪樋支持具本体１と取付杆２の連結部分の一方には、係合手段３を設け、他方には、被係合手段４を設け、これら両手段の少なくとも一方の弾性力によって上記竪樋支持具本体１と取付杆２を着脱自在に連結し、固着している。【選択図】図１
2004332238.tif 000002
【特許請求の範囲】
【請求項１】
竪樋を支承する竪樋支持具本体と、この竪樋支持具本体を壁面等に取付固定するための取付杆を連結し、固着してなる竪樋支持具において、
上記竪樋支持具本体と取付杆の連結部分の一方には、係合手段を設け、他方には、被係合手段を設け、これら両手段の少なくとも一方の弾性力によって上記竪樋支持具本体と取付杆を着脱自在に連結し、固着したことを特徴とする竪樋支持具。
【請求項２】
請求項１において、
上記係合手段は、凸部よりなり、且つ、
上記被係合手段は、凹部の両側に挟持片を形成してなり、
これら両手段の少なくとも一方の弾性力によって、上記凸部を上記凹部に嵌合させると共に、上記挟持片に挟持させ、上記竪樋支持具本体と取付杆を着脱自在に連結し、固着したことを特徴とする竪樋支持具。
【請求項３】
請求項１において、
上記係合手段は、凸部よりなり、且つ、
上記被係合手段は、凹部の両側に弾性力を備えた挟持片を形成してなり、
上記挟持片の弾性力によって、上記凸部を上記凹部に嵌合させると共に、上記挟持片に挟持させ、上記竪樋支持具本体と取付杆を着脱自在に連結し、固着したことを特徴とする竪樋支持具。
【請求項４】
請求項１において、
上記係合手段は、内面に係止爪を備えた断面略鍵形の引掛け片よりなり、且つ、
上記被係合手段は、中央部に爪受凹所を備えた引掛け受部よりなり、
上記係止爪を上記爪受凹所に係止させると共に、上記引掛け片を上記引掛け受部に引掛けて、上記竪樋支持具本体と取付杆を着脱自在に連結し、固着したことを特徴とする竪樋支持具。
【請求項５】
請求項１において、
上記係合手段は、断面略コ字状に形成され、この対向する内面に各々押え爪片を形成すると共に、閉止された内面に凸部を備えてなる引掛け片よりなり、且つ、
上記被係合手段は、中央部に凹所を備えた引掛け受部よりなり、
上記凸部を上記凹所に嵌合させると共に、上記押え爪片で上記引掛け受部を当て止めして、上記竪樋支持具本体と取付杆を着脱自在に連結し、固着したことを特徴とする竪樋支持具。
【発明の詳細な説明】
【０００１】
【発明の属する技術分野】
本発明は、一般住宅やビルなどの建築物の壁面等に沿って配される竪樋を抱持支承する竪樋支持具に関する。
【０００２】
【従来の技術】
従来の竪樋支持具には、竪樋の形状や壁面等の構造に応じて様々な構造のものがあるが、何れの構造のものであっても、竪樋を支承する竪樋支持具本体と、この竪樋支持具本体を壁面等に取付固定するための取付杆を少なくとも備えており、これらの竪樋支持具本体と取付杆とは、リベットによるカシメ手段などによって連結し、固着された構造にしている（例えば、特許文献１参照。）。
【０００３】
【特許文献１】
特開平７−２５９２８０号公報
【発明が解決しようとする課題】
ところで、竪樋支持具を使用して竪樋を取付ける作業は、住宅建築の言わば最終工程として行われる作業であり、最終的に使用される竪樋支持具を、どのような構造のものにするかということは、作業現場で決定されることも多い。
【０００４】
そのため、作業者は、異なる種類の構造の竪樋支持具を、作業現場に持参し、作業現場で必要なものを決定し、これを取付けていた。
【０００５】
しかしながら、異なる種類の竪樋支持具を予め準備しておくことは、商品管理が困難な上に、いたずらに品種が増大するという問題がある。
【０００６】
また、作業現場によっては、デザインや建物の構造上の問題などから、その作業直前で竪樋支持具の種類の変更を要求されることもあり、持参している品種のものだけでは、その変更に対応できないという問題もあった。
【０００７】
本発明は、このような事情に鑑みて、竪樋支持具本体と取付杆を着脱自在に連結し、固着した構造の竪樋支持具を提供することを目的としている。
【０００８】
【課題を解決するための手段】
上記目的を達成するため、
請求項１に係る竪樋支持具は、竪樋を支承する竪樋支持具本体と、この竪樋支持具本体を壁面等に取付固定するための取付杆を連結し、固着してなる竪樋支持具において、上記竪樋支持具本体と取付杆の連結部分の一方には、係合手段を設け、他方には、被係合手段を設け、これら両手段の少なくとも一方の弾性力によって上記竪樋支持具本体と取付杆を着脱自在に連結し、固着したことを特徴とする。
【０００９】
このものでは、係合手段と被係合手段によって、竪樋支持具本体と取付杆を着脱自在に連結し、固着することで、作業現場に応じた竪樋支持具本体と取付杆との取付け、取替えを容易に行うことができ、品種の集約もできる。
【００１０】
なお、係合手段と被係合手段は、竪樋支持具本体又は取付杆の何れに設けても構わない。
【００１１】
請求項２に係る竪樋支持具は、請求項１において、上記係合手段は、凸部よりなり、且つ、上記被係合手段は、凹部の両側に挟持片を形成してなり、これら両手段の少なくとも一方の弾性力によって、上記凸部を上記凹部に嵌合させると共に、上記挟持片に挟持させ、上記竪樋支持具本体と取付杆を着脱自在に連結し、固着したことを特徴とする。
【００１２】
このものでは、係合手段の凸部と、被係合手段の凹部とを嵌合させると共に、前記被係合手段の挟持片で挟み込んで竪樋支持具本体と取付杆を着脱自在に連結、固着する構造にすることによって、請求項１と同様の効果を得ることができる。
【００１３】
請求項３に係る竪樋支持具は、請求項１において、上記係合手段は、凸部よりなり、且つ、上記被係合手段は、凹部の両側に弾性力を備えた挟持片を形成してなり、上記挟持片の弾性力によって、上記凸部を上記凹部に嵌合させると共に、上記挟持片に挟持させ、上記竪樋支持具本体と取付杆を着脱自在に連結し、固着したことを特徴とする。
【００１４】
このものでは、係合手段の凸部と、被係合手段の凹部とを嵌合させると共に、前記被係合手段の弾性力を備えた挟持片で挟み込んで竪樋支持具本体と取付杆を着脱自在に連結、固着する構造にすることによって、請求項１と同様の効果を得ることができる。
【００１５】
請求項４に係る竪樋支持具は、請求項１において、上記係合手段は、内面に係止爪を備えた断面略鍵形の引掛け片よりなり、且つ、上記被係合手段は、中央部に爪受凹所を備えた引掛け受部よりなり、上記係止爪を上記爪受凹所に係止させると共に、上記引掛け片を上記引掛け受部に引掛けて、上記竪樋支持具本体と取付杆を着脱自在に連結し、固着したことを特徴とする。
【００１６】
このものでは、係合手段の係止爪を、被係合手段の爪受凹所に係止させると共に、引掛け片を引掛け受部に引掛けて竪樋支持具本体と取付杆を着脱自在に連結、固着する構造にすることによって、請求項１と同様の効果を得ることができる。
【００１７】
請求項５に係る竪樋支持具は、請求項１において、上記係合手段は、断面略コ字状に形成され、この対向する内面に各々押え爪片を形成すると共に、閉止された内面に凸部を備えてなる引掛け片よりなり、且つ、上記被係合手段は、中央部に凹所を備えた引掛け受部よりなり、上記凸部を上記凹所に嵌合させると共に、上記押え爪片で上記引掛け受部を当て止めして、上記竪樋支持具本体と取付杆を着脱自在に連結し、固着したことを特徴とする。
【００１８】
このものでは、係合手段の凸部を、被係合手段の凹所に嵌合させると共に、押え爪片で引掛け受部を当て止めして竪樋支持具本体と取付杆を着脱自在に連結、固着する構造にすることによって、請求項１と同様の効果を得ることができる。
【発明の実施の形態】
以下、本発明に係る竪樋支持具Ａを図面とともに説明する。
図１は、本発明に係る竪樋支持具Ａの一実施例を示す分解斜視図である。図２（イ）〜（ハ）は、図１の概略説明図であり、（イ）は、取付杆の概略を示す縱断面図、（ロ）は、組立て状態の概略側面図、（ハ）は、竪樋支持具本体の概略平面図を各々示している。
【００１９】
図１及び図２は、竪樋Ｔを抱持して支承する竪樋支持具本体１と、この竪樋支持具本体１を壁面Ｈ等に取付固定するための取付杆２を備えた竪樋支持具Ａであり、本発明は、これらの竪樋支持具本体１と取付杆２とを着脱自在に連結させた構造に特徴がある。
【００２０】
以下、本発明について詳説する。
【００２１】
竪樋支持具本体１は、竪樋Ｔの形状に応じて形成されるが、ここでは、ヒンジ１１を介して開閉可能に略半円状に形成された２つ割の本体部１２と蓋部１３を例示している。
【００２２】
なお、これら、本体部１２及び蓋部１３の適所には、補強用リブ１２’、１３’を形成するのが良い。
【００２３】
本体部１２には、取付杆２との連結部分に対応する位置に係合手段３又は被係合手段４の何れかを形成するが、本実施例では、本体部１２の略中央に被係合手段４を形成し、これに対応する係合手段３を取付杆２に形成したものを例示している。
【００２４】
図示した被係合手段４は、本体部１２の略中央部に開設された穴、凹み等よりなる凹部４２の両側に断面略Ｌ状の一対の挟持片４１を突設して形成している。
【００２５】
一方、この被係合手段４に着脱可能な係合手段３は、取付杆２に形成している。
【００２６】
図示した係合手段３は、取付杆２の先端を下方に向けて折り曲げて差込片２１を形成すると共に、この差込片２１の前面には、被係合手段４の凹部４２に嵌合する凸部２２を突設している。
【００２７】
また、差込片２１の厚みは、被係合手段４の挟持片４１の内側の高さと略同一に形成している。
【００２８】
また、取付杆２の基端は、上方に向けて折り曲げた取付片部２４を形成し、この取付片部２４には、ネジ、釘等の取付孔２５を形成している。
【００２９】
なお、竪樋支持具本体１は、本実施例に例示したような円パイプ状の竪樋Ｔを支持する竪樋支持具、角パイプ状の竪樋支持具、その他種々の形状の竪樋にも適用できることは勿論である。
【００３０】
また、取付杆２も本実施例に例示したような板状の折り曲げ形状の取付杆に限定されるものではなく、例えば、図６（イ）で示すように、前端に凸部２２を設けた差込用頭部２１’の基端部先端を釘形状に形成したもの、図６（ロ）で示すように上記差込用頭部２１’の基端部先端に上、下に向けて取付片部２４を形成し、この取付片部２４にネジ、釘等の取付孔２５を形成した略Ｔ形状に形成したものにも適用できることは勿論である。
上述の如く構成した本発明の竪樋支持具Ａは、以下の要領で使用する。
【００３１】
先ず、竪樋支持具本体１に形成した被係合手段４の挟持片４１間に、取付杆２に形成した差込片２１を上方から挿入する。
【００３２】
このとき、差込片２１の前面に突設された凸部２２の出っ張りによって引っ掛かるため、取付杆２を上方から加圧する。
【００３３】
この加圧によって、挟持片４１が弾性力に抗しながら押し広げられ、凸部２２が差込まれる。
【００３４】
やがて、凸部２２は、被係合手段４の凹部４２に嵌合されると同時に、挟持片４１の弾性力によって、差込片２１を前方に押し付けて、竪樋支持具本体１と取付杆２が連結し、固着される。
【００３５】
このように連結して、固着された竪樋支持具Ａは、従来同様にして施工すれば良い。
【００３６】
また、一旦連結して固着された竪樋支持具Ａが、現場事情によって、竪樋支持具本体１又は取付杆２の組み合わせを変更したい場合がある。
【００３７】
このときには、先程とは逆に、嵌合されている凸部２２の前方を、工具等を用いて後方に向けて押圧しながら、この凸部２２を凹部４２から脱して、取付杆２を上方に引き抜けば、竪樋支持具本体１と取付片２とを離脱することができる。
【００３８】
そして、現場事情に応じたサイズ、種類等の竪樋支持具本体１又は取付杆２の組み合わせを選定し、上記の要領で再び竪樋支持具本体１と取付杆２とを連結、固着するのである。
【００３９】
本発明の竪樋支持具Ａによれば、係合手段３と被係合手段４によって、竪樋支持具本体１と取付杆２を着脱自在に連結し、固着することで、作業現場に応じた竪樋支持具本体１と取付杆２との取付け、取替えを容易に行うことができ、品種の集約もできる。
【００４０】
なお、係合手段３と被係合手段４は、これを入れ替えて形成しても構わないことは勿論である。
【００４１】
図３は、被係合手段の他の実施例を示すための竪樋支持具の概略平面図である。
【００４２】
なお、図１、図２と共通する部位には、同一番号を付し、その説明は省略する。
【００４３】
この竪樋支持具Ａの被係合手段４は、上記同様、本体部１２の略中央部に開設された穴、凹み等よりなる凹部４２の両側に断面略Ｌ状の一対の挟持片４１を突設して形成している。
【００４４】
このような挟持片４１の場合には、取付杆２に形成した差込片２１を上方からではなく、後方から前方に向けて押し込むことによって、挟持片４１が弾性力に抗しながら両側に押し広げられる。
【００４５】
そして、係合手段３の凸部２２を、被係合手段４の凹部４２に嵌合すると同時に、挟持片４１の弾性力によって、差込片２１を前方に押し付けて挟持させ、竪樋支持具本体１と取付杆２とが連結し、固着される。
【００４６】
このような構造の竪樋支持具Ａであっても、上記同様の効果を得ることができる。
【００４７】
図４（イ）〜（ハ）は、本発明に係る竪樋支持具の他の実施例を示す概略説明図であり、（イ）は、取付杆の概略を示す縱断面図及び要部図、（ロ）は、組立て状態の概略側面図、（ハ）は、竪樋支持具本体の概略平面図を各々示している。
【００４８】
なお、図１〜図３と共通する部位には、同一番号を付し、その説明は省略する。
【００４９】
この竪樋支持具Ａの被係合手段４は、本体部１２の略中央の上、下端から各々後方に向けて板状の引掛け受部４２を延設し、この引掛け受部４２の後端の中央部には、内方に凹ませた爪受凹所４３を形成している。
【００５０】
一方、この被係合手段４に対応される係合手段３は、取付杆２の先端を下方に向けて折り曲げ、更に、その下端を後方に向けて折り返して断面略鍵形の引掛け片２６を形成している。
【００５１】
また、引掛け片２６の対向する上片及び下片には、各々内面に向けて弾性付勢された係止爪２７を形成している。
【００５２】
このような構造の竪樋支持具Ａは、以下の要領で使用する。
【００５３】
先ず、取付杆２に形成した引掛け片２６を、竪樋支持具本体１の略中央の内側に位置づけ、この引掛け片２６を後方に引っ張りながら、被係合手段４の引掛け受部４２に引掛ける。
【００５４】
このとき、引掛け片２６の係止爪２７は、引掛け受部４２に乗り上げるので、この係止爪２７が内側に向けて弾性付勢される。
そして、引掛け片２６の係止爪２７が、引掛け受部４２の爪受凹所４３に位置付けられると、その弾性復元力によって係止され、この係止爪２７の弾性力によって、竪樋支持具本体１と取付杆２とが連結し、固着される。
【００５５】
また、これを離脱させるときには、先程とは逆に、係止されている係止爪２７を、工具等を用いて外方に向けて押圧しながら、引掛け片２６を前方に押し出せば、竪樋支持具本体１と取付片２とを離脱することができる。
【００５６】
本発明に係る竪樋支持具Ａによれば、係合手段３の係止爪２７を、被係合手段４の爪受凹所４３に係止させると共に、引掛け片２７を引掛け受部４２に引掛けて着脱自在に連結、固着する構造にしているので、作業現場に応じた竪樋支持具本体１と取付杆２との取付け、取替えを容易に行うことができ、品種の集約もできる。
【００５７】
図５（イ）〜（ハ）は、本発明に係る竪樋支持具の更に他の実施例を示す概略説明図であり、（イ）は、取付杆の概略を示す縱断面図及び要部図、（ロ）は、組立て状態の概略側面図、（ハ）は、竪樋支持具本体の概略平面図を各々示している。
【００５８】
なお、図１〜図４と共通する部位には、同一番号を付し、その説明は省略する。
【００５９】
この竪樋支持具Ａの係合手段３は、断面略コ字状に形成され、この対向する内面に各々押え爪片２８を形成すると共に、閉止された内面には、後方に向けて凸部２９を突設した引掛け片２６よりなる。
【００６０】
一方、この係合手段３に対応される被係合手段４は、竪樋支持具本体１の本体部１２の略中央部に凸部２９を嵌合する凹所４４を備えた引掛け受部４２よりなる。
【００６１】
このような構造の竪樋支持具Ａは、以下の要領で使用する。
【００６２】
先ず、取付杆２に形成した引掛け片２６を、竪樋支持具本体１の略中央の内側に位置づけ、この引掛け片２６を後方に引っ張りながら、凸部２９を凹所４４に嵌合させる。
【００６３】
このとき、引掛け片２６の押え爪片２８は、引掛け受部４２に乗り上げるので、この押え爪片２８が内側に向けて弾性付勢される。
【００６４】
そして、引掛け片２６の押え爪片２８が、引掛け受部４２を乗り越えると、その弾性復元力によって引掛け受部４２の背面側を当て止め、この押え爪片２８の弾性力によって、竪樋支持具本体１と取付杆２とが着脱自在に連結し、固着される。
【００６５】
また、これを離脱させるときには、先程とは逆に、係止されている押え爪片２８を、工具等を用いて外方に向けて押圧しながら、引掛け片２６を前方に押し出せば、竪樋支持具本体１と取付片２とを離脱することができる。
【００６６】
本発明に係る竪樋支持具Ａによれば、係合手段３の凸部２９を、被係合手段４の凹所４４に嵌合させると共に、押え爪片２８で引掛け受部４２を当て止めして着脱自在に連結、固着する構造にしているので、作業現場に応じた竪樋支持具本体１と取付杆２との取付け、取替えを容易に行うことができ、品種の集約もできる。
【発明の効果】
本発明に係る竪樋支持具によれば、請求項１〜５に示すような構造の係合手段と被係合手段によって、竪樋支持具本体と取付杆を着脱自在に連結し、固着することで、作業現場に応じた竪樋支持具体と取付杆との取付け、取替えを容易に行うことができ、品種の集約もできる。
【図面の簡単な説明】
【図１】本発明に係る竪樋支持具Ａの一実施例を示す分解斜視図である。
【図２】（イ）〜（ハ）は、図１の概略説明図であり、（イ）は、取付杆の概略を示す縱断面図、（ロ）は、組立て状態の概略側面図、（ハ）は、竪樋支持具本体の概略平面図を各々示している。
【図３】被係合手段の他の実施例を示すための竪樋支持具の概略平面図である。
【図４】（イ）〜（ハ）は、本発明に係る竪樋支持具の他の実施例を示す概略説明図であり、（イ）は、取付杆の概略を示す縱断面図及び要部図、（ロ）は、組立て状態の概略側面図、（ハ）は、竪樋支持具本体の概略平面図を各々示している。
【図５】（イ）〜（ハ）は、本発明に係る竪樋支持具の更に他の実施例を示す概略説明図であり、（イ）は、取付杆の概略を示す縱断面図及び要部図、（ロ）は、組立て状態の概略側面図、（ハ）は、竪樋支持具本体の概略平面図を各々示している。
【図６】（イ）、（ロ）は、取付杆の他の実施例を示す斜視図である。
【符号の説明】
Ａ    竪樋支持具
Ｔ    竪樋
Ｈ    壁面
１    竪樋支持具本体
２    取付杆
２２  凸部
３    係合手段
４    被係合手段
４１  挟持片
４２  凹部
【図１】
2004332238.tif 000003
【図２】
2004332238.tif 000004
【図３】
2004332238.tif 000005
【図４】
2004332238.tif 000006
【図５】
2004332238.tif 000007
【図６】
2004332238.tif 000008